(57)【要約】【課題】簡単な構成で、カードケーブルからのノイズ放射を低減し、放射ノイズで問題となりにくい画像読取装置を提供する。【解決手段】本発明の一実施例である画像読取装置は、カードケーブル６の移動式原稿読取部１側をシールド板金に押し当てる部材８を移動式原稿読取部１に追加して構成する。このことにより、カードケーブルの共振周波数を高周波側にシフトでき、ノイズ放射を抑制、あるいは規格上問題とならない状態にすることが可能である。【選択図】図１
2005084177.tif 000002
【特許請求の範囲】
【請求項１】
読取り対象の原稿面を光走査して画像データを読取る移動式原稿読取部と、画像データを受信し、かつ移動式原稿読取部を移動しながら読取られた画像データを合成する画像処理制御基板と、移動式原稿読取部と画像処理制御基板を接続するカードケーブルと、カードケーブルの一端が接続された画像処理制御基板を接地する金属筐体とで構成される画像読取装置において、移動式原稿読取部にカードケーブルガイド部材を取り付け、該カードケーブルガイド部材でカードケーブルの移動式原稿読取部側が常に金属筐体に近接するように構成することを特徴とする画像読取装置。
【請求項２】
読取り対象の原稿面を光走査して画像データを読取る移動式原稿読取部と、画像データを受信し、かつ移動式原稿読取部を移動しながら読取られた画像データを合成する画像処理制御基板と、移動式原稿読取部と画像処理制御基板を接続するカードケーブルと、カードケーブルの一端が接続された画像処理制御基板を接地する金属筐体とで構成される画像読取装置において、移動式原稿読取部の移動に対して常に一定の割合で移動するカードケーブル支持部材を取り付け、このカードケーブル支持部材でカードケーブル全体を常に金属筐体に近接させることを特徴とする画像読取装置。
【発明の詳細な説明】
【技術分野】
【０００１】
本発明は、複写機、スキャナ、ファクシミリなどに利用される画像読取装置の放射ノイズ低減に関する。
【背景技術】
【０００２】
【特許文献１】特開平１１−４３３０号公報
【特許文献２】実登録２５２７１７０号公報
【０００３】
図５は、従来の画像読取装置の概略図であり、図５(a)は斜視図、図５(b)は側面から見た断面図である。以下、図５を用いて説明する。
【０００４】
図５の移動式原稿読取部１は、光源およびミラーなどを備えた光学系、および光センサを一体化したユニットであり、ガラス板などの透明な板上に置かれた原稿をガラス板の下から光走査して画像データを読取る仕組みになっている。移動式原稿読取部１で読取った画像信号および移動式原稿読取部の制御信号、光源への電源供給などのために、画像処理制御基板２との間にカードケーブル６が接続されている。画像処理制御基板２は金属筐体３に接地され、かつ金属筐体３に接続されたシールド板金４で覆われている。カードケーブル６の画像処理制御基板側はシールド板金４の開口部７から引き出されている。
【０００５】
図５(b)に示すように、カードケーブル６の両端のうち、画像処理制御基板側はシールド板金４に近接しており、かつ画像処理制御基板２が金属筐体３に接地されている。一方、カードケーブル６の移動式原稿読取部側は金属筐体３から開放されている。これにより、カードケーブル６の移動式原稿読取部側を開放端とするコモンモードの共振現象が発生し、カードケーブル長を１/４波長としたときの周波数の奇数倍で特に強い電界放射が発生する形態であった。
【０００６】
カードケーブル６は、移動式原稿読取部１の移動走査のために、金属筐体３などの安定なグラウンド電位の金属に密着固定することが出来ず、必然的に浮き加減になるため、効率の良いノイズ放射源となり、放射ノイズの低減が困難であった。
【０００７】
これらの課題を解決する提案として、移動式原稿読取部と画像処理制御部の間の制御信号、画像信号の受け渡しのために光受光素子を使って無線で行なう提案がなされている（例えば特許文献１参照）。しかし、光受光素子が高コストである点、光学系の光軸調整がさらに複雑になる点、光軸ずれを引き起こす振動に弱くなる点から実用上問題があった。さらに、電源供給線は依然として有線であり、放射源として働くことで、根本的な解決策であるとは言い難い。
【０００８】
また、画像読取装置の上に乗せ、原稿を抑えるための圧板を金属板とし、板バネによって画像読取装置の金属筐体との接続を取り、シールドとする構成が提案されている（例えば、特許文献２参照）。しかし、圧板により画像読取装置が重くなる点から実用上問題があった。
【発明の開示】
【発明が解決しようとする課題】
【０００９】
本出願に係る発明の第１の目的は、簡単な構成で、カードケーブルからのノイズ放射を低減し、放射ノイズで問題となりにくい画像読取装置を提供することにある。
【００１０】
本出願に係る発明の第２の目的は、上記第１の目的に加えて、カードケーブルのノイズ放射効率を低減し、より放射ノイズ発生の少ない画像読取装置を提供することである。
【課題を解決するための手段】
【００１１】
上記第１の目的を達成するため、本出願に係る第１の画像読取装置は、カードケーブルの移動式原稿読取部側をシールド板金に押し当てる部材を移動式原稿読取部に追加して構成する。このことにより、カードケーブルの共振周波数を高周波側にシフトでき、ノイズ放射を抑制、あるいは規格上問題とならない状態にすることが可能である。
【００１２】
上記第２の目的を達成するため、本出願に係る第２の画像読取装置は、第１発明の構成に加えて、カードケーブル全体をシールド板金に常に沿わせるための支持部材で構成する。
【発明の効果】
【００１３】
本出願に係る第１の発明によれば、簡単な構成で、カードケーブルからのノイズ放射を低減し、放射ノイズで問題となりにくい画像読取装置を提供することが可能となる。
【００１４】
また本出願に係る第２の発明によれば、第１の発明の効果に加えて、放射効率の低減化によって、さらに放射ノイズを低減することが可能な画像読取装置を提供することが可能となる。
【実施例１】
【００１５】
図１は、本出願にかかる第１の実施例の特徴を最も良く表す図面であり、画像読取装置を側面から見た図面である。図２は図１の画像読取装置の移動式原稿読取部１の周辺を拡大した図面である。また、図３(a)、(b)は図１の画像読取装置の動きを説明するための図面である。以下、図１、図２、図３を参照して説明する。なお、図５と同じ部分には同一符号を付加してあり、その説明は省略する。
【００１６】
図１において、画像処理制御基板２のシグナルグラウンドは、金属筐体３に接続されている。画像処理制御基板２の上面には金属筐体３に接続されたシールド板金４が配置されている。移動式原稿読取部１はガラス板５の下面を移動しながらガラス板５の上面に置かれた原稿を光走査し原稿の画像を読取る。移動式原稿読取部１から画像処理制御基板２への画像信号の送信、および画像処理制御基板２から移動式原稿読取部１への制御信号の送信と電源の供給を担うために両端を画像処理制御基板２と移動式原稿読取部１とに接続されたカードケーブル６は、図のようにシールド板金４に開けられた開口７から引き出される。移動式原稿読取部１のカードケーブル接続部付近にカードケーブルガイド部材８を設け、カードケーブル６をシールド板金４に押し当てるようにする。以上のようにして、画像読取装置を構成する。
【００１７】
尚、カードケーブル６を押し当てるカードケーブルガイド部材８は、板状等の非常に簡便な形態で十分である。
【００１８】
図３は、移動式原稿読取部１の走査に伴うカードケーブル６の動きを図示したものである。このように、走査において移動式原稿読取部側のカードケーブル６は、シールド板金４から離れることなく常に近接している。
【００１９】
カードケーブル６の移動式原稿読取部側をシールド板金４に常に近接することにより、カードケーブル６の両端が金属筐体３との結合が強くなる。これにより、従来、カードケーブル長を１/４波長としたときの周波数の奇数倍で発生していた共振現象が、カードケーブル長を１/２波長としたときの周波数の倍にシフトする。例えばカードケーブル長をL、電荷の速度をｃとしたとき、一端が開放されているときの共振周波数はｃ／（４L）、
３ｃ／（４L）、・・・となるのに対し、両端とも金属筐体に結合したときの共振周波数は
ｃ／Lとなる。すなわち、強い共振のピークが高周波側へシフトする。一般に、ノイズ発生源である信号波形のスペクトルは高周波側へ行くほど低減するため、結果として放射ノイズレベルを低減する事が可能となる。さらに、規格上、問題とならない周波数へシフトさせることも可能となる。
【００２０】
以上説明したように、本出願に係る第１の実施例によれば、簡単な構成で、カードケーブル６からのノイズ放射を低減し、放射ノイズで問題となりにくい画像読取装置を提供することが可能となる。
【実施例２】
【００２１】
図４は本出願にかかる第２の実施例の特徴を最も良く表す図面である。図４において(a)は上から見た図面、(b)は側面から見た図面である。以下、図４を参照して説明する。なお、実施例１に相当する図１と同じ部分には同一符号を付加してある。
【００２２】
実施例１との違いのみ述べる。図１に示す画像読取装置に対して、移動式原稿読取部駆動ベルト９、移動式原稿読取部駆動ベルト搬送歯車１０、カードケーブル支持シャフト１１、カードケーブル支持シャフト駆動ベルト１２、カードケーブル支持シャフト駆動ベルト搬送歯車１３が追加されている点が異なる。ただし、移動式原稿読取部駆動ベルト９、移動式原稿読取部駆動ベルト搬送歯車１０については、従来例、および実施例１でもこれに類する機構が存在するが、第一の発明の説明において不要であるため、述べなかったものである。
【００２３】
移動式原稿読取部駆動ベルト９の一部に、移動式原稿読取部１が固定されており、移動式原稿読取部駆動ベルト搬送歯車１０の回転によって、移動式原稿読取部１は走査する仕組みになっている。一方、カードケーブル支持シャフト１１は、カードケーブル支持シャフト駆動ベルト１２の一部に固定され、カードケーブル支持シャフト駆動ベルト搬送歯車１３の回転によって、カードケーブル支持シャフト１１が動く仕組みになっている。２つのカードケーブル支持シャフト駆動ベルト搬送歯車１３のうち少なくとも一方は、移動式原稿読取部駆動ベルト搬送歯車１０と同じ回転数で回転するように、軸を一体化されるなどしている。カードケーブル支持シャフト駆動ベルト搬送歯車１３は、移動式原稿読取部駆動ベルト搬送歯車１０の半分の半径である。従って、カードケーブル支持シャフト１１の移動距離は、移動式原稿読取部１の移動距離の半分となる。さらにカードケーブル支持シャフト１１は常にシールド板金４に近い位置を移動する高さになるように構成されている。カードケーブルガイド部材８とカードケーブル支持シャフト１１によって、移動式原稿読取部の走査位置に関係なく、カードケーブル６は常にほぼ張った状態でほぼ全体をシールド板金４に近接させた状態を保持することが可能となる。これによって、カードケーブル６のノイズ放射効率を大幅に低減する事が可能となり、放射ノイズをさらに低減する事が可能となる。
【００２４】
以上説明したように、本出願に係る第２の発明によれば、第１の発明の効果に加えて、放射効率の低減化によって、さらに放射ノイズを低減することが可能な画像読取装置を提供することが可能となる。
【図面の簡単な説明】
【００２５】
【図１】本発明の第１の実施例に係る画像読取装置の側面図
【図２】本発明の第１の実施例に係る画像読取装置の斜視図
【図３】本発明の第１の実施例に係る画像読取装置の動作説明するための側面図
【図４】本発明の第２の実施例に係る画像読取装置で、(a)は上面図、(b)は側面図
【図５】従来の画像読取装置で、(a)は斜視図、(b)は側面図
【符号の説明】
【００２６】
１・・・移動式原稿読取部
２・・・画像処理制御基板
３・・・金属筐体
４・・・シールド板金
５・・・ガラス板
６・・・カードケーブル
７・・・開口
８・・・カードケーブルガイド部材
９・・・移動式原稿読取部駆動ベルト
１０・・・移動式原稿読取部駆動ベルト搬送歯車
１１・・・カードケーブル支持シャフト
１２・・・カードケーブル支持シャフト駆動ベルト
１３・・・カードケーブル支持シャフト駆動ベルト搬送歯車
【図１】
2005084177.tif 000003
【図２】
2005084177.tif 000004
【図３】
2005084177.tif 000005
【図４】
2005084177.tif 000006
【図５】
2005084177.tif 000007